(57)【要約】【課題】  本発明は、防火扉の遠心力による扉の振動を防止し、迅速な閉鎖を助勢するとともに、設置において防火扉面に対して多くの加工を要しない折戸用扉保持装置を提供する。【解決手段】  折戸用扉保持装置は第２扉に面する第１扉の下部角部に設置される取付座と、取付座に固定される固定軸案内金具及び固定軸支持金具に嵌挿され、中央部に長穴を有する固定軸と、固定軸の一端部に固着される支持体と、固定軸に設置されるバネ、止め輪と、固定軸の他端部に回動自在に固着される駆動レバーと、一端部に第２扉と当接可能とするローラを有し、他端部が固定軸案内金具の側部に固着される作動レバーとから構成され、駆動レバーの他端部と作動レバーにおける長手方向の中央部は軸支され、バネの付勢力にて固定軸が第１扉の長手方向に可動するとともに、作動レバー及び駆動レバーの両者が連動して回動することを特徴とする折戸用扉保持装置。【選択図】  図５
2008308905.tif 000002
【特許請求の範囲】
【請求項１】
戸枠に第１ヒンジクローザを介して取り付けられた第１扉と、前記第１扉に第２ヒンジクローザを介して取り付けられた第２扉とからなる折戸用扉に設置される折戸用扉保持装置において、
折戸用扉保持装置は第２扉に面する第１扉の下部角部に設置される取付座と、
取付座に固定される固定軸案内金具及び固定軸支持金具へ第１扉の長手方向に嵌挿され、中央部に長穴を有する固定軸と、
固定軸支持金具より突出して嵌挿された固定軸の一端部に固着される支持体と、
固定軸案内金具と固定軸支持金具における間隙の固定軸に設置されるバネ、ワッシャ及び止め輪と、
固定軸案内金具より突出して嵌挿された固定軸の他端部に回動自在に固着される駆動レバーと、
一端部に第２扉と当接可能とするローラを有し、他端部が固定軸案内金具の側部、及び固定軸における長穴に回動自在に固着される作動レバーとから構成され、
駆動レバーの他端部と作動レバーにおける長手方向の中央部は軸支され、
バネの付勢力にて固定軸が第１扉の長手方向に可動するとともに、
作動レバー及び駆動レバーの両者が連動して回動することを特徴とする折戸用扉保持装置。
【請求項２】
固定軸に対し駆動レバーを軸支する駆動レバー支持ピン、固定軸案内金具に対し作動レバーを軸支する作動レバー支持ピン、及び作動レバーと駆動レバーを軸支する連結ピンは、夫々第１扉の幅方向に軸通され、
作動レバーは作動レバー支持ピンを中心として、
駆動レバーは駆動レバー支持ピンを中心として、夫々時計回り及び反時計回りに回動可能とすることを特徴とする請求項１に記載の折戸用扉保持装置。
【発明の詳細な説明】
【技術分野】
【０００１】
本発明は、火災発生時に使用する二つ折り防火扉における第１扉と第２扉との分離の際に、第１扉と床面との保持を行う為の折戸用扉保持装置に関するものである。
【背景技術】
【０００２】
従来より、出願人は火災発生時に使用する二つ折り防火扉における第１扉と第２扉との結合及び分離ならびに第１扉の戸への係着を行うための防火扉保持装置を発明している。当該防火扉保持装置は、図１４及び図１５のようにして動作するものである。
【０００３】
図１４（ａ）は、災発生直前の状態であり、防火扉は戸袋２１に収納され、第２扉２３は戸袋２１壁面に設置されている電磁レリーズ（図示しない）によって係止されている。また、防火扉保持装置２６のブラケット２６ａが掛止されて、第１扉２２と第２扉２３が結合している。戸袋２１には第２扉２３続いて第１扉２２の順に収納されており、第１扉２２及び第２扉２３は第１ヒンジクローザ２４によって回動可能とし、第２扉２３は第２ヒンジクローザ２５によって回動可能とされている。
【０００４】
図１４（ｂ）に示すように、火災が発生すると火災を感知して作動した電磁レリーズ（図示しない）の第２扉２３への係止が解除され、第１ヒンジクローザ２４の働きにより防火扉が戸袋２１から送出され、その後戸枠（図示しない）に当接するまでの間、第１扉２２と第２扉２３が連結した状態を保ったまま閉扉動作を継続する。この状態において、防火扉保持装置２６とブラケット２６ａとの連結は保持されている。
【０００５】
図１５（ｃ）に示すように、第１扉２２と第２扉２３が連結した状態を保ち、第１扉２２が戸枠（図示しない）に当接すると、防火扉保持装置２６におけるブラケット２６ａの掛止が解除され、両者は分離され、第２ヒンジクローザ２５の働きによって、第２扉２３は回動可能とされる。
【０００６】
図１５（ｄ）に示すように、第２ヒンジクローザ２５の働きによって、第２扉２３は、戸当り２７まで回動可能であり、第２ヒンジクローザ２５を中心として、第２扉２３は時計回り及び反時計回り方向の回転が可能であるから、第２扉２３が全閉位置における戸当り２７の位置にあっても、開口部２８より第２扉２３を押すと、第２扉２３は時計回り方向に回転し、通路を確保して人々の避難を妨げることはないものである。（例えば、特許文献１参照）。
【特許文献１】特開２００５−１１３４４０号公報
【発明の開示】
【発明が解決しようとする課題】
【０００７】
特許文献１における防火扉保持装置２６は、第１扉２２及び第２扉２３の上方部にのみ設置されており、また、第１扉２２及び第２扉２３は第１ヒンジクローザ２４によってのみ軸支されている。よって、図１４（ｂ）、図１５（ｃ）に示すように、第２扉２３が第１扉２２から解除され、第２ヒンジクローザ２５を中心に９０度程度、反時計回りに回動しようとする際には、第２扉２３の遠心力によって、第１扉２２は第２扉２３と連動するようにして、第１ヒンジクローザ２４を中心として時計回りに（第２扉２３側へ）モーメントが働くことになり、結果として、第２ヒンジクローザ側における第１扉２２、特に第１扉２２の下方部に振動が生じることになる。これは、第１扉２２及び第２扉２３の防火扉が大きくなる程、顕著に表れるものである。
非常時においては、迅速且つ確実に防火扉は閉鎖されなければならず、第１扉２２に振動が生じていては迅速な閉鎖の妨げとなり、好ましくない。
また、第１扉２２及び第２扉２３は、第１ヒンジクローザ２４及び前記第１扉２２の上方における前記防火扉保持装置２６によってのみ固定されている為、前記第１扉２２及び前記第２扉２３の荷重によっては、前記第２扉２３における戸先が下方部へ撓み、それによって、床面を擦過する虞もある。これにおいても、非常時における迅速な閉鎖の妨げとなり、好ましくない。
【０００８】
一方で、一般的に、扉の固定法にはフランス落としが用いられている。フランス落としを用いる際には、扉に設置されたロッド棒の突入部に対応する受け穴が必要である。
しかし、フランス落としを防火扉に採用し、当該受け穴を床面に設けた場合には、女性用ハイヒールのピンが当該受け穴に嵌まる虞があり、非常時でないにしても危険である。
また、防火扉を固定する為には、防火扉における重量等の付加に耐えうるロッド棒が必要となり、その大きさにおいても大きくならざるを得ず、防火扉面に対しても大掛かりな加工が必要となる。
【０００９】
そこで、本発明はこのような問題点を解決するものであって、防火扉の遠心力による扉の振動を防止し、迅速な閉鎖を助勢するとともに、設置において防火扉面に対して多くの加工を要しない折戸用扉保持装置を提供することを課題とする。
【課題を解決するための手段】
【００１０】
前記問題点を解決するために、本発明の請求項１に記載の発明の折戸用扉保持装置は、戸枠に第１ヒンジクローザを介して取り付けられた第１扉と、前記第１扉に第２ヒンジクローザを介して取り付けられた第２扉とからなる折戸用扉に設置される折戸用扉保持装置において、折戸用扉保持装置は第２扉に面する第１扉の下部角部に設置される取付座と、取付座に固定される固定軸案内金具及び固定軸支持金具へ第１扉の長手方向に嵌挿され、中央部に長穴を有する固定軸と、固定軸支持金具より突出して嵌挿された固定軸の一端部に固着される支持体と、固定軸案内金具と固定軸支持金具における間隙の固定軸に設置されるバネ、ワッシャ及び止め輪と、固定軸案内金具より突出して嵌挿された固定軸の他端部に回動自在に固着される駆動レバーと、一端部に第２扉と当接可能とするローラを有し、他端部が固定軸案内金具の側部、及び固定軸における長穴に回動自在に固着される作動レバーとから構成され、駆動レバーの他端部と作動レバーにおける長手方向の中央部は軸支され、バネの付勢力にて固定軸が第１扉の長手方向に可動するとともに、作動レバー及び駆動レバーの両者が連動して回動することを特徴とするものである。
【００１１】
また、本発明の請求項２に記載の発明の折戸用扉保持装置は、請求項１記載の折戸用扉保持装置において、固定軸に対し駆動レバーを軸支する駆動レバー支持ピン、固定軸案内金具に対し作動レバーを軸支する作動レバー支持ピン、及び作動レバーと駆動レバーを軸支する連結ピンは、夫々第１扉の幅方向に軸通され、作動レバーは作動レバー支持ピンを中心として、駆動レバーは駆動レバー支持ピンを中心として、夫々時計回り及び反時計回りに回動可能とすることを特徴とするものである。
（作用）
【００１２】
請求項１記載の折戸用扉保持装置に係る発明では、駆動レバーの他端部と作動レバーにおける長手方向の中央部は軸支され、バネの付勢力にて固定軸が第１扉の長手方向に可動するとともに、作動レバー及び駆動レバーの両者が連動して回動するので、第１扉の下部角部に設置される折戸用扉保持装置の前記支持体は、前記固定軸が可動することで第１扉の下方に位置する床面を支持することができる。
【００１３】
請求項２記載の折戸用扉保持装置に係る発明では、請求項１記載の折戸用扉保持装置において、固定軸に対し駆動レバーを軸支する駆動レバー支持ピン、固定軸案内金具に対し作動レバーを軸支する作動レバー支持ピン、及び作動レバーと駆動レバーを軸支する連結ピンは、夫々第１扉の幅方向に軸通され、作動レバーは作動レバー支持ピンを中心として、駆動レバーは駆動レバー支持ピンを中心として、夫々時計回り及び反時計回りに回動可能とするので、前記第１扉に第２ヒンジクローザを介して取り付けられた第２扉の回動に従って、一端部に第２扉と当接可能とするローラを有する作動レバーを回動させることができる。
【発明の効果】
【００１４】
請求項１記載の折戸用扉保持装置に係る発明では、駆動レバーの他端部と作動レバーにおける長手方向の中央部は軸支され、バネの付勢力にて固定軸が第１扉の長手方向に可動するとともに、作動レバー及び駆動レバーの両者が連動して回動するので、第１扉の下部角部に設置される折戸用扉保持装置の前記支持体は、前記固定軸が可動することで第１扉の下方に位置する床面を支持することができる。
よって、第１扉における下方部も堅固に支持されるので、第２扉の遠心力によって、第１扉が第２扉と連動するようにして、第１ヒンジクローザを中心として時計回り及び反時計回りにモーメントが働くことによって生じる振動を防止することができ、迅速な閉鎖を助勢することができる。
また、第１扉及び第２扉が、第１ヒンジクローザ及び第１扉の上方における防火扉保持装置によってのみ固定されている場合と比較して、折戸用扉保持装置は、ヒンジクローザを有する側における第１扉側の下部角部にて、床面を支持しているので、荷重により、第２扉における戸先が下方部へ撓み、床面と擦過する虞も減少される。
更に、バネの付勢力によって、支持体にて床面を支持しているので、床面に受け穴を設ける必要もなく、女性用ハイヒールのピンが当該受け穴に嵌まる虞もない。
また、防火扉の大きさに伴うことなく、折戸用扉保持装置を扉表面に取り付ける加工のみを行えばよく、大掛かりな加工を必要とせず作業効率もよい。
また、大掛かりな加工を必要としないことから、既存の折戸用扉にも使用することができる。
【００１５】
請求項２記載の折戸用扉保持装置に係る発明では、請求項１記載の折戸用扉保持装置において、固定軸に対し駆動レバーを軸支する駆動レバー支持ピン、固定軸案内金具に対し作動レバーを軸支する作動レバー支持ピン、及び作動レバーと駆動レバーを軸支する連結ピンは、夫々第１扉の幅方向に軸通され、作動レバーは作動レバー支持ピンを中心として、駆動レバーは駆動レバー支持ピンを中心として、夫々時計回り及び反時計回りに回動可能とするので、前記第１扉に第２ヒンジクローザを介して取り付けられた第２扉の回動に従って、一端部に第２扉と当接可能とするローラを有する作動レバーを回動させることができる。
つまり、第１扉の下方へ取り付けられた折戸用扉保持装置は、戸袋に収納されている状態、及び第２扉におけるブラケットが解除されるまでは、作動レバーにおけるローラが第２扉に当接していることから、作動レバーの回動は抑止されているので、作動レバーが作動レバー支持ピンを中心として時計回りに回動されることはない。よって、支持体が可動されることもないので、防火扉の第１扉及び第２扉の回動を妨げることはない。
また、第１扉と第２扉が連結した状態を保ち、第１扉が戸枠に当接すると、防火扉保持装置におけるブラケットの掛止が解除され、第２扉が回動される。よって、第２扉の回動に伴い、第２扉とローラは徐々に当接しなくなるので、作動レバーの回動は抑止されなくなり、作動レバーは作動レバー支持ピンを中心として時計回りに回動される。よって、請求項１に記載の効果に加えて、支持体を徐々に可動させることができ、第１扉の下方に位置する床面を支持することができる。
【発明を実施するための最良の形態】
【００１６】
以下、本発明の実施の形態における折戸用扉保持装置を図面に基づいて説明する。
【００１７】
図１は、本発明の実施例１に係る折戸用扉保持装置における全体構成のロックピン解除前の（ａ）左側面図、（ｂ）左側面断面図である。図２は、本発明の実施例１に係る折戸用扉保持装置における全体構成のロックピン解除前の（ａ）正面図、（ｂ）正面断面図である。図３は、本発明の実施例１に係る折戸用扉保持装置における作動レバーの（ａ）正面図、（ｂ）底面図である。図４は、本発明の実施例１に係る折戸用扉保持装置における駆動レバーの（ａ）正面図、（ｂ）底面図である。図５は、本発明の実施例１に係る折戸用扉保持装置における全体構成のロックピン解除後の（ａ）左側面図、（ｂ）正面図である。図６は、本発明の実施例１に係る折戸用扉保持装置を設置した防火扉の第１扉２２及び第２扉２３を結合して戸袋２１に収納した状態図である。図７は、本発明の実施例１に係る折戸用扉保持装置を設置した防火扉の第１扉２２及び第２扉２３を結合して戸袋２１に収納した状態図のＡ―Ａ端面図である。図８は、本発明の実施例１に係る折戸用扉保持装置を設置した防火扉の第１扉２２及び第２扉２３を結合して回動し、第１扉２２が戸枠に当接した状態図である。図９は、本発明の実施例１に係る折戸用扉保持装置を設置した防火扉の第１扉２２及び第２扉２３を結合して扉連結時動作範囲を回動し、第１扉２２が戸枠に当接した状態図のＢ−Ｂ端面図である。図１０は、本発明の実施例１に係る折戸用扉保持装置を設置した防火扉の第１扉２２が戸枠に係止され、第２扉２３が９０度回動した状態図である。図１１は、本発明の実施例１に係る折戸用扉保持装置を設置した防火扉の第１扉２２が戸枠に係止され、第２扉２３が９０度回動した状態図のＣ−Ｃ端面図である。図１２は、本発明の実施例１に係る折戸用扉保持装置を設置した防火扉の第１扉２２が戸枠に係止され、第２扉２３が第２扉動作範囲を回動して戸当り２７に当接した状態図である。図１３は、本発明の実施例１に係る折戸用扉保持装置を設置した防火扉の第１扉２２が戸枠に係止され、第２扉２３が第２扉動作範囲を回動して戸当り２７に当接した状態図のＤ−Ｄ端面図である。図１４は、従来品である防火扉保持装置を設置した防火扉の第１扉２２及び第２扉２３を結合して（ａ）戸袋２１に収納した状態図、（ｂ）回動し、第１扉２２が戸枠に当接した状態図である。図１５は、従来品である防火扉保持装置を設置した防火扉の第１扉２２が戸枠に係止され、（ｃ）第２扉２３が９０度回動した状態図（ｄ）第２扉２３が第２扉動作範囲を回動して戸当り２７に当接した状態図である。
【実施例１】
【００１８】
本発明の折戸用扉保持装置の実施例１について、図１乃至図１３に基づいて説明する。尚、図中、従来例と同一符号は同一部材を示す。
【００１９】
本願発明の実施の形態に係る折戸用扉保持装置１は、図１及び図２に示すように、主に作動レバー２、駆動レバー３、固定軸４、取付座５、固定軸案内金具６、固定軸支持金具７、バネ８、支持体９、ローラ１０及び各部を支持するピン等によって構成されている。
【００２０】
図３に示すように、前記作動レバー２は、２枚の側板２ａ、上部板２ｂにより構成されている。前記側板２ａは、略長方形の形状からなり、両端部が半円状としたものである。前記側板２ａの一端部にはローラ支持ピン穴２ｃ、中央部には連結ピン穴２ｄ、他端部には作動レバー支持ピン穴２ｅがそれぞれ設けられている。また、前記ローラ支持ピン穴２ｃと前記連結ピン穴２ｄの間における前記側板２ａの幅方向の一端側には、略半円形状の切欠き部２ｆが設けられている。また、幅方向における前記切欠き部２ｆの対向する箇所と、略長方形より形成される前記上部板２ｂにおける幅方向の端部は、周知の接合手段である溶接等によって固着されている。また、前記側板２ａにおける両者の間隙は、後に説明する固定軸案内金具６における幅方向より大きければよい。
【００２１】
図４に示すように、前記駆動レバー３は、２枚の側板３ａ、上部板３ｂにより構成されている。前記側板３ａは、略長方形の形状からなり、両端部が半円状としたものである。前記側板３ａの一端部には駆動レバー支持ピン穴３ｃ、他端部には連結ピン穴３ｄがそれぞれ設けられている。また、長手方向における中央部と、略長方形より形成される前記上部板３ｂにおける長手方向の端部は、周知の接合手段である溶接等によって固着されている。また、前記駆動レバー３の幅は、前記作動レバー２における２枚の前記側板２ａの間隙より小さければよい。
【００２２】
図１、図２及び図５に示すように、取付座５は、略長方形状の鋼板よりなり、後に説明する第１扉２２に取り付ける為の４箇所の取付穴５ａを有し、固定軸案内金具６及び固定軸支持金具７を取り付ける為の取付穴（図示しない）を有するものである。
【００２３】
前記固定軸案内金具６は、略直方体よりなり、長手方向に固定軸４を嵌通させる為の貫通穴６ａを有し、側部６ｂには作動レバー支持ピン１４を取り付ける為の貫通穴（図示しない）を有してなり、前記取付座５における長手方向と前記固定軸案内金具６における長手方向を並行に保ち、前記取付座５における略中央部にボルト２０にて取り付けられている。
【００２４】
前記固定軸支持金具７も同様にして、略直方体よりなり、幅方向に固定軸４を嵌通させる為の貫通穴７ａを有し、前記取付座５における幅と前記固定軸支持金具７における長手方向の両端部を合致させるようにして、前記取付座５における長手方向の一端部にボルト２０にて取り付けられている。
【００２５】
前記固定軸４は、略棒状からなるもので、一端部に駆動レバー支持ピン１２を取り付ける為の貫通穴（図示しない）を有し、略中央部には当該貫通穴と同一方向に貫通する長穴４ａを有し、他端部には前記固定軸４の長手方向に向かって、支持体９を取り付ける為のねじ穴４ｂを有してなるものである。前記固定軸４は、前記ねじ穴４ｂを前記固定軸支持金具７側にして、前記固定軸案内金具６における貫通穴６ａ及び前記固定軸支持金具７における前記貫通穴７ａに嵌挿される。
【００２６】
前記駆動レバー３は、前記駆動レバー支持ピン穴３ｃに駆動レバー支持ピン１２が軸通され、前記駆動レバー３における前記上部板３ｂが前記取付座５と面しないようにして、前記固定軸４の一端部に回動自在に固着されている。また、前記駆動レバー３における前記側板３ａと前記固定軸４の間隙には、当該間隙を埋める為のカラー１７が設置されている。
【００２７】
前記作動レバー２は、前記作動レバー支持ピン穴２ｅに作動レバー支持ピン１４が軸通され、前記作動レバー２における前記上部板２ｂが前記駆動レバー３における前記上部板３ｂと面しないようにして、前記固定軸案内金具６における側部６ｂの貫通穴（図示しない）へ回動自在に固着されている。このとき、前記作動レバー支持ピン１４は、前記固定軸４における前記長穴４ａにも同時に軸通される。これによって、前記固定軸４は前記長穴４ａ間を可動することができる。また、前記作動レバー２における前記連結ピン穴２ｄ及び前記駆動レバー３における前記連結ピン穴３ｄに２本の連結ピン１３が軸通され、両者は回動自在に固着されている。このとき、前記駆動レバー３は前記作動レバー２の幅方向の内側にて固着されているが、前記側板２ａには、前記切欠き部２ｆが設けられているので、前記駆動レバー支持ピン１２の頭部と干渉することはない。更に、前記作動レバー２における前記ローラ支持ピン穴２ｃには、ローラ支持ピン１１が軸通され、後に説明する第２扉２３との当接時における摩擦を軽減するローラ１０が設置されている。
【００２８】
また、前記固定軸案内金具６と前記固定軸支持金具７における間隙の前記固定軸４には、前記固定軸案内金具６から前記固定軸支持金具７へ向かって、バネ８、ワッシャ１５及び止め輪１６が順に設置されている。
【００２９】
また、前記固定軸支持金具７より突出して嵌挿された前記固定軸４の前記ねじ穴４ｂには、支持体９がボルト１９によって固着されている。前記固定軸４に対する前記支持体９の垂直断面形状は円形状、四角形状、三角形状のいずれでもよく、その他の形状を取ることも可能である。また、材質においては、エラストマー、天然ゴム、合成ゴム、例えばＳＢＲ（スチレンブタジエンゴム）、樹脂性などに限られず、折戸扉が設置される床面２９に対して、適応する材質を選定することも可能である。
【００３０】
図１及び図２に示すように、前記固定軸４には長手方向に対して垂直にロックピン１８が貫通して設置されている。前記ロックピン１８は、前記固定軸案内金具６と前記ロックピン１８とが当接することによって、前記固定軸支持金具７へ向かう前記バネ８の付勢力を抑止する為に設けられ、前記折戸用扉保持装置１が第１扉２２に設置された後に、取り外される。
【００３１】
このようにして構成される前記折戸用扉保持装置１は、次のようにして作用する。
図５に示すように、前記ロックピン１８が解除された状態においては、前記固定軸支持金具７に向かって前記バネ８の付勢力が作用し、前記固定軸４に固着された前記止め輪１６が前記固定軸支持金具７の端面に当接される。
よって、前記固定軸４は、前記固定軸支持金具７側へ向かって可動される。これに協動されるようにして、前記駆動レバー３は前記駆動レバー支持ピン１２を中心として反時計回りに回動される。また、前記作動レバー２及び前記駆動レバー３は、前記連結ピン１３にて連結されていることから、前記駆動レバー３の回動に伴い、前記作動レバー２は前記作動レバー支持ピン１４を中心として時計回りに回動される。このとき、前記固定軸４には前記長穴４ａが設けられているので、前記作動レバー支持ピン１４によって、前記固定軸４の可動が妨げられることはない。
従って、前記支持体９が可動し、前記作動レバー２が前記作動レバー支持ピン１４を中心として時計回りに回動されることになる。
【００３２】
このようにして作用する前記折戸用扉保持装置１は、火災発生時に使用する防火扉保持装置２６が設置された二つ折り防火扉の下方部へ設置されることによって作用する。
【００３３】
図６及び図７に示すように、前記折戸用扉保持装置１は、第２扉２３に面する側であって、前記ヒンジクローザ２５を有する側における第１扉２２側の下部角部２２ａへボルト等で設置される。具体的には、前記支持体９の下端面と前記床面２９との間隙が、前記バネ８の付勢力による前記支持体９の可動量より少なくなるようにして設置される。さもなければ、前記支持体９にて前記床面２９を支持しえないからである。
前記折戸用扉保持装置１は、前記ロックピン１８が取り外された状態で設置され、第２扉２３は前記戸袋２１壁面に設置されている電磁レリーズ（図示しない）によって係止され、前記防火扉保持装置２６のブラケット２６ａが掛止されて、防火扉の第１扉２２及び第２扉２３が結合して戸袋２１に収納されている。
この状態においては、前記ロックピン１８が取り外されているが、前記第２扉２３の一端面によって、前記作動レバー２の回動は抑止されているので、前記作動レバー２が前記作動レバー支持ピン１４を中心として時計回りに回動されることはなく、前記支持体９が可動されることもないので、防火扉の第１扉２２及び第２扉２３は回動可能な状態にある。
【００３４】
図８及び図９に示すように、火災が発生すると火災を感知して作動した電磁レリーズ（図示しない）の第２扉２３への係止が解除され、第１ヒンジクローザ２４の働きにより防火扉が戸袋２１から送出され、その後戸枠（図示しない）に当接するまで扉連結時動作範囲Ｒを、第１扉２２と第２扉２３が連結した状態を保ったまま閉扉動作を継続する。したがって、前記防火扉保持装置２６と前記ブラケット２６ａとの連結は保持されている。
この状態においても、前記第１扉２２と扉間隙Ｘを有した前記第２扉２３の一端面によって、前記作動レバー２の回動は抑止されているので、前記作動レバー２が前記作動レバー支持ピン１４を中心として時計回りに回動されることはなく、前記支持体９が可動されることもないので、防火扉の第１扉２２及び第２扉２３は回動可能な状態にある。
このとき、図９に示すように、前記ローラ１０と前記第２扉２３とが当接する箇所には、当接板３０を設けることができる。これによって、前記ローラ１０の回動における前記第２扉２３における表面の摩耗を軽減させることができる。
更に、使用される扉の大きさによっては前記扉間隙Ｘが増大するが、その際には、前記当接板３０を加工して略コ字状等に形状を変化させて使用することで、前記扉間隙Ｘの増大分を相殺させることができる。
【００３５】
図１０及び図１１に示すように、前記第１扉２２と前記第２扉２３が連結した状態を保ち、前記第１扉２２が戸枠（図示しない）に当接すると、前記防火扉保持装置２６における前記ブラケット２６ａの掛止が解除され、両者は分離され、前記第２ヒンジクローザ２５の働きによって、前記第２扉２３は回動可能とされる。
この状態においては、前記第２扉２３は回動されており、前記当接板３０を有する前記第２扉２３の一端面によって、前記作動レバー２の回動は抑止されることがなく、前記作動レバー２は前記作動レバー支持ピン１４を中心として時計回りに回動されるとともに、徐々に前記支持体９は可動されることになる。従って、前記支持体９が床面２９に支持されることになる。
これによって、前記第１扉２２における下方部は堅固に支持されるので、前記第２扉２３の遠心力によって、前記第１扉２２が前記第２扉２３と連動するようにして、前記第１ヒンジクローザ２４を中心として時計回り及び反時計回りにモーメントが働くことによって生じる振動を防止することができる。
また、第１扉２２及び第２扉２３が、第１ヒンジクローザ２４及び前記第１扉２２の上方における前記防火扉保持装置２６によってのみ固定されている場合と比較して、前記折戸用扉保持装置１は、前記ヒンジクローザ２５を有する側における第１扉２２側の下部角部２２ａにて、前記床面２９を支持しているので、荷重により、前記第２扉２３における戸先が下方部へ撓み、前記床面２９と擦過する虞も減少される。
【００３６】
図１２及び図１３に示すように、前記第２ヒンジクローザ２５の働きによって、前記第２扉２３は、前記戸当り２７までの第２扉動作範囲Ｒ１の間、回動可能であり、前記第２ヒンジクローザ２５を中心として、前記第２扉２３は時計回り及び反時計回り方向の回転が可能であるから、前記第２扉２３が全閉位置における前記戸当り２７の位置にあっても、前記開口部２８より前記第２扉２３を押すと前記第２扉２３は時計回り方向に回転し、通路を確保して人々の避難を妨げることはない。
この状態においても、前記作動レバー２の回動は抑止されることがなく、前記作動レバー２は前記作動レバー支持ピン１４を中心として時計回りに回動されるとともに、前記支持体９は可動され、前記支持体９が床面２９を支持した状態を維持する。
【００３７】
また、防火扉の前記第１扉２２及び前記第２扉２３を結合させて前記戸袋２１へ収納させる際には、上記手順と逆手順を取ればよい。
具体的には、前記開口部２８側より、前記第２ヒンジクローザ２５を中心として、図８及び図９に示す位置まで、前記第２扉２３を時計回りに回動させる。
これによって、図９に示すように、前記第１扉２２に取り付けられた前記折戸用扉保持装置１の前記ローラ１０が前記第２扉２３における前記当接板３０と当接し、前記作動レバー２が前記作動レバー支持ピン１４を中心にして、反時計回りに回動する。回動される前記作動レバー２と連動して、前記駆動レバー２は前記駆動レバー支持ピン１２を中心として時計回りに回動するので、前記固定軸４とともに前記支持体９は前記床面２９に対して上方へ引き上げられ、徐々に前記床面２９に対する支持は解除される。
後に、前記第２扉２３における前記ブラケット２６ａが前記第１扉２２における前記防火扉保持装置２６に掛止され、前記第１扉２２と前記第２扉２３が連結される。この状態で連結された前記第１扉２２と前記第２扉２３は、前記第１ヒンジクローザ２４を中心にして回動され、前記戸袋２１へと収納される。
【００３８】
以上、説明した本発明の実施例１に係る前記折戸用扉保持装置１によれば、前記第１扉２２の下部角部２２ａへ取り付けられた前記折戸用扉保持装置１は、前記戸袋２１に収納されている状態、及び前記第２扉２３における前記ブラケット２６ａが解除されるまでは、前記第２扉２３における前記当接板３０によって、前記作動レバー２の回動は抑止されているので、前記作動レバー２が前記作動レバー支持ピン１４を中心として時計回りに回動されることはなく、前記支持体９が可動されることもないので、防火扉の第１扉２２及び第２扉２３の回動を妨げることはない。
また、前記第１扉２２と前記第２扉２３が連結した状態を保ち、前記第１扉２２が戸枠に当接すると、前記防火扉保持装置２６における前記ブラケット２６ａの掛止が解除され、前記第２扉２３が回動される。よって、前記当接板３０を有する前記第２扉２３の一端面によって、前記作動レバー２の回動は抑止されることがなく、前記作動レバー２は前記作動レバー支持ピン１４を中心として時計回りに回動されるとともに、徐々に前記支持体９は下方へ可動されることになる。従って、前記支持体９が床面２９に支持されることになる。
これによって、前記第１扉２２における下方部も堅固に支持されるので、前記第２扉２３の遠心力によって、前記第１扉２２が前記第２扉２３と連動するようにして、前記第１ヒンジクローザ２４を中心として時計回り及び反時計回りにモーメントが働くことによって生じる振動を防止することができるので、迅速な閉鎖を助勢することができる。
また、第１扉２２及び第２扉２３が、第１ヒンジクローザ２４及び前記第１扉２２の上方における前記防火扉保持装置２６によってのみ固定されている場合と比較して、前記折戸用扉保持装置１は、前記ヒンジクローザ２５を有する側における第１扉２２側の下部角部２２ａにて、前記床面２９を支持しているので、荷重により、前記第２扉２３における戸先が下方部へ撓み、前記床面２９と擦過する虞も減少される。
更に、前記バネ８の付勢力によって、前記支持体９にて前記床面２９を支持しているので、前記床面２９に受け穴を設ける必要もなく、女性用ハイヒールのピンが当該受け穴に嵌まる虞もない。また、前記床面２９の窪みに対しても、前記支持体９の材質及び形状によって対応することも可能である。
また、防火扉の大きさに伴うことなく、前記折戸用扉保持装置１を扉表面に取り付ける加工のみを行えばよく、大掛かりな加工を必要とせず作業効率もよい。
また、大掛かりな加工を必要としないことから、既存の折戸用扉にも使用することができる。
【図面の簡単な説明】
【００３９】
【図１】本発明の実施例１に係る折戸用扉保持装置における全体構成のロックピン解除前の（ａ）左側面図、（ｂ）左側面断面図である。
【図２】本発明の実施例１に係る折戸用扉保持装置における全体構成のロックピン解除前の（ａ）正面図、（ｂ）正面断面図である。
【図３】本発明の実施例１に係る折戸用扉保持装置における作動レバーの（ａ）正面図、（ｂ）底面図である。
【図４】本発明の実施例１に係る折戸用扉保持装置における駆動レバーの（ａ）正面図、（ｂ）底面図である。
【図５】本発明の実施例１に係る折戸用扉保持装置における全体構成のロックピン解除後の（ａ）左側面図、（ｂ）正面図である。
【図６】本発明の実施例１に係る折戸用扉保持装置を設置した防火扉の第１扉２２及び第２扉２３を結合して戸袋２１に収納した状態図である。
【図７】本発明の実施例１に係る折戸用扉保持装置を設置した防火扉の第１扉２２及び第２扉２３を結合して戸袋２１に収納した状態図のＡ―Ａ端面図である。
【図８】本発明の実施例１に係る折戸用扉保持装置を設置した防火扉の第１扉２２及び第２扉２３を結合して回動し、第１扉２２が戸枠に当接した状態図である。
【図９】本発明の実施例１に係る折戸用扉保持装置を設置した防火扉の第１扉２２及び第２扉２３を結合して扉連結時動作範囲を回動し、第１扉２２が戸枠に当接した状態図のＢ−Ｂ端面図である。
【図１０】本発明の実施例１に係る折戸用扉保持装置を設置した防火扉の第１扉２２が戸枠に係止され、第２扉２３が９０度回動した状態図である。
【図１１】本発明の実施例１に係る折戸用扉保持装置を設置した防火扉の第１扉２２が戸枠に係止され、第２扉２３が９０度回動した状態図のＣ−Ｃ端面図である。
【図１２】本発明の実施例１に係る折戸用扉保持装置を設置した防火扉の第１扉２２が戸枠に係止され、第２扉２３が第２扉動作範囲を回動して戸当り２７に当接した状態図である。
【図１３】本発明の実施例１に係る折戸用扉保持装置を設置した防火扉の第１扉２２が戸枠に係止され、第２扉２３が第２扉動作範囲を回動して戸当り２７に当接した状態図のＤ−Ｄ端面図である。
【図１４】従来品である防火扉保持装置を設置した防火扉の第１扉２２及び第２扉２３を結合して（ａ）戸袋２１に収納した状態図、（ｂ）回動し、第１扉２２が戸枠に当接した状態図である。
【図１５】従来品である防火扉保持装置を設置した防火扉の第１扉２２が戸枠に係止され、（ｃ）第２扉２３が９０度回動した状態図（ｄ）第２扉２３が第２扉動作範囲を回動して戸当り２７に当接した状態図である。
【符号の説明】
【００４０】
１      折戸用扉保持装置
２      作動レバー
２ａ    側板
２ｂ    上部板
２ｃ    ローラ支持ピン穴
２ｄ    連結ピン穴
２ｅ    作動レバー支持ピン穴
２ｆ    切欠き部
３      駆動レバー
３ａ    側板
３ｂ    上部板
３ｃ    駆動レバー支持ピン穴
３ｄ    連結ピン穴
４      固定軸
４ａ    長穴
４ｂ    ねじ穴
５      取付座
５ａ    取付穴
６      固定軸案内金具
６ａ    貫通穴
６ｂ    側部
７      固定軸支持金具
７ａ    貫通穴
８      バネ
９      支持体
１０    ローラ
１１    ローラ支持ピン
１２    駆動レバー支持ピン
１３    連結ピン
１４    作動レバー支持ピン
１５    ワッシャ
１６    止め輪
１７    カラー
１８    ロックピン
１９、２０  ボルト
２１    戸袋
２２    第１扉
２２ａ  下部角部
２３    第２扉
２４    第１ヒンジクローザ
２５    第２ヒンジクローザ
２６    防火扉保持装置
２６ａ  ブラケット
２７    戸当り
２８    開口部
２９    床面
３０    当接板
Ｒ      扉連結時動作範囲
Ｒ１    第２扉動作範囲
Ｘ      扉間隙
【図１】
2008308905.tif 000003
【図２】
2008308905.tif 000004
【図３】
2008308905.tif 000005
【図４】
2008308905.tif 000006
【図５】
2008308905.tif 000007
【図６】
2008308905.tif 000008
【図７】
2008308905.tif 000009
【図８】
2008308905.tif 000010
【図９】
2008308905.tif 000011
【図１０】
2008308905.tif 000012
【図１１】
2008308905.tif 000013
【図１２】
2008308905.tif 000014
【図１３】
2008308905.tif 000015
【図１４】
2008308905.tif 000016
【図１５】
2008308905.tif 000017